(57)【特許請求の範囲】
【請求項１】
台座に植毛穴を穿設し、この植毛穴に刷毛部材束を植設してブラシを形成するブラシの製造方法であって、前記刷毛部材束は硬度が異なる複数の刷毛部材で構成されるとともに、その硬度が異なる複数の刷毛部材のうちの硬い刷毛部材が軟らかい刷毛部材の外周に位置するように配設され、かつ、硬い刷毛部材の長さが軟らかい刷毛部材の長さより短くして植毛されており、硬度が異なる複数の刷毛部材を二つ折りにして前記植毛穴に挿入して固定するにあたり、硬い刷毛部材を谷折れする外側に位置させた状態で掴み具により掴んで二つ折りにし、前記植毛穴に挿入して固定するようにしたことを特徴とするブラシの製造方法。
【発明の詳細な説明】
【技術分野】
【０００１】
本発明は、ブラシの製造方法に関するものである。
【背景技術】
【０００２】
従来、箒やデッキブラシなどの清掃具が広く使用されている。このような清掃具は柄の先端にブラシが連結されており、該ブラシは台座に穿設された植毛穴に刷毛部材束が植設されている。
刷毛部材としては、例えば軟らかなものでは豚毛や馬毛や柔軟性の高い合成樹脂製繊維等の塵埃を掃くのに適した軟らかい繊維が使用され、硬いものでは固めの合成樹脂製繊維で形成されている。
【０００３】
下記特許文献１にはこのような軟らかい繊維を刷毛部材に使用した清掃具に関する開示がある。
【０００４】
【特許文献１】特開２００５−１１１０５５号公報
【発明の開示】
【発明が解決しようとする課題】
【０００５】
しかしながら、軟らかい繊維を植毛した従来のブラシでは、軽く細かい塵、埃、ゴミなどの掃除は容易に行えるが、繊維のコシが弱いために重く大きなゴミなどを十分掃き集めることができないという問題があった。
また、コシが弱く軟らかい繊維はすぐに毛束が開きやすく、耐久性に問題があった。
一方、軟らかい表面についている汚れや埃を固めの合成樹脂製繊維の刷毛でブラシを形成したものでは、表面を傷つけてしまうという問題がある。
【０００６】
本発明は、上記した従来の問題点に鑑みてなされたものであって、やさしくソフトに除塵ができるのはもちろんのこと、重く大きなゴミやこびりついた頑固な汚れなども容易に清掃可能にするとともに、耐久性に優れたブラシを簡単で安価に製造することができるブラシの製造方法を提供できるようにすることを目的とする。
【課題を解決するための手段】
【０００７】
上記目的を達成するために、本発明に係るブラシの製造方法は、台座に植毛穴を穿設し、この植毛穴に刷毛部材束を植設してブラシを形成するブラシの製造方法を前提とし、前記刷毛部材束は硬度が異なる複数の刷毛部材で構成するとともに、その硬度が異なる複数の刷毛部材のうちの硬い刷毛部材が軟らかい刷毛部材の外周に位置するように配設され、かつ、硬い刷毛部材の長さが軟らかい刷毛部材の長さより短くして植毛している。そして、硬度が異なる複数の刷毛部材を二つ折りにして前記植毛穴に挿入して固定するにあたり、硬い刷毛部材を谷折れする外側に位置させた状態で掴み具により掴んで二つ折りにし、前記植毛穴に挿入して固定するようにしたことを特徴としている。
【発明の効果】
【００１０】
本発明に係るブラシの製造方法によれば、台座に植毛穴を穿設し、この植毛穴に刷毛部材束を植設してブラシを形成するにあたり、刷毛部材束は硬度が異なる複数の刷毛部材で構成されるとともに、硬度が異なる複数の刷毛部材を二つ折りにして前記植毛穴に挿入して固定するにあたり、硬い刷毛部材が軟らかい刷毛部材の外周に位置するように配設し、かつ、硬い刷毛部材の長さが軟らかい刷毛部材の長さより短くして植毛するようにしてあるので、簡単な構造で、安価に実施することができる。
【００１１】
また、本発明に係るブラシの製造方法において、掴み具により硬度が異なる複数の刷毛部材をつかんで二つ折りにし、植毛穴に挿入して固定される前記構成のブラシの製造方法であって、硬い刷毛部材を谷折れする外側に位置させた状態で掴み具により掴んで二つ折りにし、植毛穴に挿入して固定するようにしたものでは、既存のブラシ製造装置をそのまま使用することができ、この面でもブラシを安価に製造することができる利点がある。
【００１２】
更に、台座に穿設された植毛穴に、硬い刷毛部材が軟らかい刷毛部材の外周に位置するように植設されるとともに、硬い刷毛部材の長さが軟らかい刷毛部材の長さより短くしてあるので、軟らかな刷毛部材の外側が硬い刷毛部材に保護された状態になっており、軟らかな刷毛部材の毛束が開くのを硬い刷毛部材が抑制するので、その耐久性を高くすることができる利点がある。
【００１３】
加えて、軟らかい刷毛部材が硬い刷毛部材より突出させてあるので、軟らかい表面についている汚れや埃は軽く撫でることにより、表面を傷つけることなく除塵が行えるとともに、頑固な汚れの場合には力を入れて押し付けることにより固めの刷毛部材で頑固な汚れも除塵することができ、１つのブラシの使用用途や使用範囲を広くできる利点がある。
【発明を実施するための最良の形態】
【００１４】
本発明の最良の実施形態を図面に基づいて説明する。図１は本実施形態に係るブラシの斜視図、図２は前記ブラシの刷毛部材の正面図及び底面図、図３は植毛工程の各段階を示した断面模型図である。
【００１５】
図１に示したブラシ１は、箒の柄の先端に取り付けられるものであって、台座２に穿設された植毛穴３に刷毛部材束４を挿入して固定してなる。
台座２は合成樹脂などにより構成され、台座２の上面には清掃用具の柄（図示しない）を取り付けるための取り付け部６を設けている。
また、台座２の下面には長手方向に沿って前後２列の植毛穴３を穿設している。各植毛穴３の内径は等しく形成されており、この植毛穴３に硬度が異なる複数の刷毛部材５ａ，５ｂを植設している。
【００１６】
図２（ａ）は刷毛部材束４の正面図、図２（ｂ）は刷毛部材束４の底面図である。図２（a），（b）に示すように、軟らかい刷毛部材５ｂは植毛穴３の中央部に、硬い刷毛部材５ａは軟らかい刷毛部材５ｂの外周にそれぞれ位置するように植設されている。
また、図２（ａ）に示すように、硬い刷毛部材５ａは軟らかい刷毛部材５ｂより短く形成されている。
【００１７】
硬い刷毛部材５ａとしては、直径０．４〜１．０ｍｍ程度のポリプロピレン等の合成繊維が好適に使用される。
軟らかい刷毛部材５ｂとしては硬い刷毛部材より直径の小さく直径０．０５ｍｍ〜０．０５ｍｍ程度のナイロン、ポリエチレン、ポリビニルアルコール等の合成繊維や、豚毛、馬毛等の動物繊維、パーム、シダ等の植物繊維を単独でまたは組み合わせて用いることができる。
畢竟するに、刷毛部材の硬軟は相対的なものであり、上記の例に限られるものではなく、種々の線材を組み合わせて使用することができる。
【００１８】
植毛穴３への刷毛部材束４の植毛方法は、図３（ａ）に示すように、硬度が異なる２種類の刷毛部材５ａ，５ｂのうち、硬い刷毛部材５ａの束と軟らかい刷毛部材５ｂの束とを分離して積み重ね、掴み具７によって掴み、軟らかい刷毛部材５ａが内側となるようにして二つ折りにすると、図３（ｂ）に示すように、硬い刷毛部材５ａは谷折れする軟らかい刷毛部材５ｂの外側に配設される。
【００１９】
この二つ折りにした刷毛部材５ａ，５ｂの束からなる刷毛部材束４の折り返し部分８を、植毛穴３に挿入し、図３（ｃ）に示すように、折り返し部分８に固定用針９を係止し、該固定用針９によって刷毛部材束４を植毛穴３内に固定する。
これにより、刷毛部材束４は開いた放射状の束となって、台座２の植設穴３形成面から突出する。
【００２０】
このようにして製造されるブラシ１は、軟らかい刷毛部材５ｂにより細かい塵、埃やゴミ等を清掃することができるとともに、硬い刷毛部材５ａが比較的大きな嵩張るゴミ等を清掃することができる。
また、硬い刷毛部材５ａが軟らかい刷毛部材５ｂの外周に位置することによって軟らかい刷毛部材５ｂが補強されてコシが強くなり、刷毛部材束４が植毛穴３から起立した状態を維持できる。
よって、ブラシ１の使用時に軟らかい刷毛部材５ｂが根本から撓んで清掃作業に支障をきたすといったことがない。
【００２１】
更に、硬い刷毛部材５ａが軟らかい刷毛部材５ｂより短く形成されているので、細かい塵、埃などを集める際に硬い刷毛部材５ａが軟らかい刷毛部材５ｂの被清掃面の形状に沿った柔軟な変形を妨げることがない。
【００２２】
尚、上記の実施形態では、箒に使用するブラシ１を例に挙げたが、本発明のブラシはそれに限定されるものでなく、例えばデッキブラシ等のブラシ部分等、他の清掃具にも利用できる。
本発明に係るブラシをデッキブラシに用いる場合には、軟らかい刷毛部材を先端が分割して形成された先割れの繊維などを用いることができ、通常、先割れの繊維は非常に軟らかくコシがないが、先割れの繊維の外周に硬い刷毛部材を配設することで刷毛部材束を補強することができる利点がある。
また、硬い刷毛部材を軟らかい刷毛部材の外周に配設した場合であっても、先割れの繊維の良好な保水性をそのまま維持可能であるので、ブラシ使用時に洗浄剤の泡立ちを保ちつつ、適度な強度を有するブラシを提供可能である。
【図面の簡単な説明】
【００２３】
【図１】本発明の一実施形態に係るブラシの斜視図である。
【図２】前記ブラシの刷毛部材束の正面図及び底面図である。
【図３】前記ブラシの製造方法を示す図である。
【符号の説明】
【００２４】
１  ブラシ
２  台座
３  植毛穴
４  刷毛部材束
５ａ  硬い刷毛部材
５ｂ  軟らかい刷毛部材
７  掴み具
【図１】
0005219258.tif 000002
【図２】
0005219258.tif 000003
【図３】
0005219258.tif 000004